(57)【要約】      （修正有）【課題】手足の指が一本でも負傷した場合に、その傷ついた指だけを保護できるようにするな保護具を提供する。【解決手段】素材をポリエチレン等の合成樹脂、合成ゴム、合成繊維、合成紙、合成接着剤等で構成した。袋状の指保護袋１を粘着テープ４の粘着面の片端上半部に設けた粘着固定部３に装着し粘着テープ４と一体化させた。粘着テープ４の粘着面上の指保護袋１粘着固定部３以外の全面に粘着防止用紙テープを仮貼付けし設け、更に貼り付け誘導紙テープ６を設けた。指先を指保護袋１に挿入した後に、粘着防止用紙テープ５の延長線上に設けて折り畳んでいる貼り付け誘導紙テープ６の掴み部２を指先で引きながら、粘着防止用紙テープ５を引き剥がしながら、連続して指周りに粘着テープ４を一方向に巻きつけながら貼り付け装着する方法とした。【選択図】図１
2013085934.tif 000002
【特許請求の範囲】
【請求項１】
本発明は軽薄な平面構造体とするために素材をポリエチレン等の合成樹脂、合成ゴム、合成繊維、合成紙、合成接着剤等を使用し、袋状の指保護袋１と粘着テープ４で形成し、指保護袋１の下部を粘着テープ４の粘着面の片端上半部に設けた粘着固定部２に固定し、一体化した平面構造体としたことを特徴とする指保護バンド。
【請求項２】
請求項１記載の指保護袋１において、さらに、指保護袋１が容易に開封ができて指先が挿入できるよう、開封用掴み部２を設けたことを特徴とする指保護バンド。
【請求項３】
請求項１記載の粘着テープ４において、さらに、粘着テープ４を片手で保護する側の指元に対して一方向的に巻き易くするために、粘着テープ４粘着面上の指保護袋粘着固定部３以外の全面に粘着防止用紙テープ５を仮貼付けして設け、その延長線上に貼り付け誘導紙テープの折り返し部６ａと掴み部６ｂをたたんで設けたことを特徴とする指保護バンド。
【請求項４】
請求項３記載の貼り付け誘導紙テープ６において、さらに、その使用方法として、保護する方の指を挿入した後、貼り付け誘導紙テープ６に設けた掴み部６ｂを片側の指先で掴み、挿入した指の後部側から粘着防止用紙テープ５を引き剥がしながら、保護する指の指元に一方向に巻きつけるようにして接着固定させることを特徴とする指保護バンド。
【発明の詳細な説明】
【技術分野】
【０００１】  通常、手足の指先に軽い傷を負った際などにおいて、一般的に市販されているリバテープ等で処置されているが、本発明は、治療後或いは治療前の指の傷口が水滴や汚物等に直接触れて雑菌に汚染されないように、手足の指を保護する衛生に関する技術である。
【背景技術】
【０００２】  従来から、指先を負傷した場合、一般的に市販されている小さな傷の治療処置用として、［特許文献１］のリバテープのように、防水効果を持つ粘着テープの粘着側中央部上にガーゼを装着して傷口に押し当て、その粘着テープを指に貼り付け固定する治療処置方法はあったが、それだけの治療処置では傷ついた手を使っての水洗いや風呂に入る際に傷口に雑菌が侵入しやすく、リバテープその物が剥がれ落ちるなどして不便な面があり、傷口の保護具としては十分で無かった。
又、従来の粘着テープの貼り付け手順は、粘着テープの中央部から両端に分けてそれぞれの方向に粘着防止紙テープを剥がしていくので、粘着テープが緩んでよれ粘着面同士がくっ付き合うなどして不便さがあった。
【先行技術文献】
【特許文献】
【０００３】
【特許文献１】  リバテープ
【０００４】
【非特許文献１】  特に無し
【発明の概要】
【発明が解決しようとする課題】
【０００５】  手足の指が一本でも負傷した場合に、その負傷した指の傷口だけを保護できるようにすることと、従来からの分厚いゴム製の指サックが使用できなかったような、足の指にも適合できるようにすることと、軽薄で防水効果が高く作製コストが安価で使い捨てを可能にすることと、使用時に粘着テープが緩んでよれて粘着面同士がくっ付き合うことが無いように使い勝手の良い保護具とすること。
【課題を解決するための手段】
【０００６】  素材をポリエチレン等の合成樹脂、合成ゴム、合成繊維、合成紙、合成接着剤等で構成したことで軽薄で防水性能が確保されたと。
袋状の指保護袋１を粘着テープ４の粘着面の片端上半部の粘着固定部３に装着し、粘着テープ４と一体化させたことで手足のどの指にも挿入しやすくなったこと。
粘着テープ４粘着面上の指保護袋１粘着固定部３以外の全面に粘着防止用紙テープ５を仮貼付けし設け、更に貼り付け誘導紙テープ６を設けたことと、指先を指保護袋１に挿入した後に、粘着防止用紙テープ５の延長線上に設けて折り畳んでいる貼り付け誘導紙テープ６ａの掴み部６ｂを指先で引き出しながら、粘着防止用紙テープ５を引き剥がし、随時、指周りに粘着テープ４を一方向に巻きつけながら貼り付け接着固定する方法としたことで、粘着テープ４が緩んでよれ粘着面同士がくっ付き合うことが減少し、使い勝手の良い保護具となった。
【発明の効果】
【０００７】  粘着テープ４と指保護袋１を一体化した平面構造体としたことで嵩張らず、保護する指先の挿入を容易にすることが出来た。
保護する指先を挿入した後に、貼り付け誘導紙テープ６を挿入した指の後部側から引き出すので指元に的確に貼り付けられ、さらに連続して粘着防止用紙テープ５を一方向に引き剥がしながら粘着テープ４の粘着面が指元に貼り付けられていく方法としたので、粘着テープの緩みがなく張り詰めた状態で巻きつけながら接着固定できる。
指保護袋１の素材をポリエチレン等の合成樹脂、合成ゴム、合成繊維、合成紙、合成接着剤等としたので軽薄で防水性能が高く、指保護袋内１が完全に密閉されるので、傷口への雑菌侵入等を防止することが出来、利便性が高められた。
【図面の簡単な説明】
【０００８】
【図１】  指保護バンドの正面図（粘着面）と断面図である。
【図２】  指保護バンドの詳細図である。
【図３】  指保護バンドの実施図である。
【発明を実施するための形態】
【０００９】  本発明の素材は、ポリエチレン等の合成樹脂、合成ゴム、合成繊維、合成紙、合成接着剤等で構成し、袋状の指保護袋１の下部を粘着テープ４の粘着面に設けた粘着固定部３に強く粘着して一体化させ、粘着テープ４粘着面上の指保護袋１の粘着固定部３以外の全面に粘着防止用紙テープ５を仮貼付けし、その粘着テープ４の延長線上に貼り付け誘導紙テープ６と摘み部６ｂ設け反対側に折り返してたたみ装着する。
使用する場合においては、指保護袋１の開封用掴み部２を片方の指で掴んで開封し、保護する方の指を挿入した後、貼り付け誘導紙テープ６に設けた掴み部６ｂを片側の指先で掴み、挿入した指の後部側から粘着防止用紙テープ５を引き剥がしながら指元に巻きつけて接着固定させる。
【実施例】
【００１０】
【産業上の利用可能性】
【００１１】  本発明は、指先の保護に限らず手袋、靴下等にも応用して使用することが可能であり、果樹栽培などにおいては、例えばリンゴ、梨、ぶどう等の養生袋にも利用できる。
【符号の説明】
【００１２】１    指保護袋
２    開封用掴み部      （指保護袋）  ２ａ（開封用掴み部裏面）
３    粘着固定部        （指保護袋）
４    粘着テープ        （粘着面）
５    粘着防止用紙テープ          ５ａ（粘着面）、５ｃ（粘着面）
６    貼り付け誘導紙テープ        ６ａ（折り返し部）、６ｂ（掴み部）
【受託番号】
【００１３】
【図１】
2013085934.tif 000003
【図２】
2013085934.tif 000004
【図３】
2013085934.tif 000005